(57)【要約】ユーザーが確実に表示内容を見て、かつ余裕をもって応答可能なタイミングで画面に任意の広告等を表示することができる携帯端末を提供する。音声通話が可能であり、かつ通信網を介してサーバーと接続可能な携帯端末において、サーバーから告知情報を受信する手段と、音声通話の終話時に告知情報を携帯端末の画面に表示する表示手段を備える。また、直前の音声通話に関する番号情報および通話時間情報を取得する通話情報取得手段を備え、表示手段は直前の通話に関する情報および直前の通話に関する操作ボタンも表示するようにしてもよい。ユーザーが表示内容を見る可能性が高いので広告等の訴求性が向上し、折り返し電話等の利便性も向上する。
2012115266.tif 000002
【特許請求の範囲】
【請求項１】
音声通話が可能であり、かつ通信網を介してサーバーと接続可能な携帯端末において、
前記サーバーから告知情報を受信する手段と、
前記音声通話の終話時に前記告知情報を前記携帯端末の画面に表示する表示手段を備えたことを特徴とする携帯端末。
【請求項２】
請求項１に記載の携帯端末において、
更に直前の前記音声通話に関する番号情報および通話時間情報を取得する通話情報取得手段を備え、
前記表示手段は、直前の通話に関する情報および直前の通話に関する操作ボタンも表示することを特徴とする携帯端末。
【請求項３】
請求項２に記載の携帯端末において、更に、ユーザーが獲得するポイント数を決定して表示すると共に前記サーバーにポイント情報を通知するポイント獲得手段を備えたことを特徴とする携帯端末。
【請求項４】
請求項２に記載の携帯端末において、更に、ゲーム手段を備えたことを特徴とする携帯端末。
【請求項５】
音声通話が可能であり、かつ通信網を介してサーバーと接続可能な携帯端末を制御するコンピューターを、
前記サーバーから告知情報を受信する手段、
前記音声通話の終話時に前記告知情報を表示する表示手段
として機能させるための携帯端末用プログラム。
【請求項６】
請求項５に記載の携帯端末用プログラムにおいて、
更に直前の前記音声通話に関する番号情報および通話時間情報を取得する通話情報取得手段を備え、
前記表示手段は、直前の通話に関する情報および直前の通話に関する操作ボタンも表示する
ことを特徴とする請求項５に記載の携帯端末用プログラム。
【請求項７】
通信網を介して音声通話も可能な携帯端末と接続可能なサーバーにおいて、
前記携帯端末を制御するコンピューターを、前記サーバーから告知情報を受信する手段、前記音声通話の終話時に前記告知情報を表示する表示手段として機能させるためのアプリケーションプログラムを前記携帯端末に送信するプログラム配信手段と、
前記携帯端末にインストールされた前記アプリケーションプログラムからの要求に基づき、前記告知情報を配信する告知情報配信手段と
を備えたことを特徴とする携帯端末用サーバー。
【請求項８】
前記携帯端末用サーバーは前記携帯端末から位置情報を取得し、前記告知情報配信手段は取得した位置情報と関連する告知情報を配信することを特徴とする請求項７に記載の携帯端末用サーバー。
【発明の詳細な説明】
【技術分野】
【０００１】
この発明は、携帯端末、携帯端末用プログラムおよび携帯端末用サーバーに関し、特に携帯端末の画面に任意の広告等を表示することができる携帯端末、携帯端末用プログラムおよび携帯端末用サーバーに関する。
【背景技術】
【０００２】
従来、携帯端末に広告を配信して表示させるシステムが提案されている。下記の特許文献１には、このような広告配信システムの一例が開示されている。このシステムは、携帯通信端末において情報取得中待機時間あるいは待ち受け画面を利用して広告情報を表示させるものである。このシステムは、インターネットに接続する機能を備えた携帯通信端末に対して、ブラウザ機能および広告提供サーバから広告データをダウンロードする機能とを備えたソフトウエアをアプリケーションとして提供する。また、アプリケーションソフトウエアのブラウザ広告表示用要素部または待ち受け広告表示用要素部により、情報取得中待機時間あるいは待ち受け画面を利用して広告情報が表示された回数又は時間がカウントされる。
【先行技術文献】
【特許文献】
【０００３】
【特許文献１】特開２００６−７９２０３号公報
【発明の概要】
【発明が解決しようとする課題】
【０００４】
上記したような従来の広告配信システムにおいては、待ち受け画面は見る必要がないので見ないという問題点があった。また、発信時や着信時には一瞬は見るが、応答や通話などの行おうとしている他の処理が優先されて、見ても応答しないという問題点があった。更に、ブラウザにおける情報取得待ち時間に広告を表示しても直ぐに消えてしまうので応答が困難であるという問題点があった。【０００５】
本発明の目的は、上記したような従来技術の課題を解決することにあり、ユーザーが確実に表示内容を見て、かつ余裕をもって応答可能なタイミングで携帯端末の画面に任意の広告等を表示することができる携帯端末、携帯端末用プログラムおよび携帯端末用サーバーを提供することにある。
【課題を解決するための手段】
【０００６】
本発明の携帯端末は、音声通話が可能であり、かつ通信網を介してサーバーと接続可能な携帯端末において、前記サーバーから告知情報を受信する手段と、前記音声通話の終話時に前記告知情報を前記携帯端末の画面に表示する表示手段を備えたことを主要な特徴とする。【０００７】
また、前記した携帯端末において、更に直前の前記音声通話に関する番号情報および通話時間情報を取得する通話情報取得手段を備え、前記表示手段は、直前の通話に関する情報および直前の通話に関する操作ボタンも表示する点にも特徴がある。【０００８】
また、前記した携帯端末において、更に、ユーザーが獲得するポイント数を決定して表示すると共に前記サーバーにポイント情報を通知するポイント獲得手段を備えた点にも特徴がある。また、前記した携帯端末において、更にゲーム手段を備えた点にも特徴がある。【０００９】
本発明の携帯端末用プログラムは、音声通話が可能であり、かつ通信網を介してサーバーと接続可能な携帯端末を制御するコンピューターを、前記サーバーから告知情報を受信する手段、前記音声通話の終話時に前記告知情報を表示する表示手段として機能させることを主要な特徴とする。【００１０】
また、前記した携帯端末用プログラムにおいて、更に直前の前記音声通話に関する番号情報および通話時間情報を取得する通話情報取得手段を備え、前記表示手段は、直前の通話に関する情報および直前の通話に関する操作ボタンも表示する点にも特徴がある。【００１１】
本発明の携帯端末用サーバーは、通信網を介して音声通話も可能な携帯端末と接続可能なサーバーにおいて、前記携帯端末を制御するコンピューターを、前記サーバーから告知情報を受信する手段、前記音声通話の終話時に前記告知情報を表示する表示手段として機能させるためのアプリケーションプログラムを前記携帯端末に送信するプログラム配信手段と、前記携帯端末にインストールされた前記アプリケーションプログラムからの要求に基づき、前記告知情報を配信する告知情報配信手段とを備えたことを主要な特徴とする。【００１２】
また、前記した携帯端末用サーバーにおいて、前記携帯端末用サーバーは前記携帯端末から位置情報を取得し、前記告知情報配信手段は取得した位置情報と関連する告知情報を配信する点にも特徴がある。
【発明の効果】
【００１３】
本発明においては、以下のような効果がある。
（１）例えば終話時など、ユーザーが確実に表示内容を見て、かつ余裕をもって応答可能なタイミングで携帯端末の画面に任意の広告等を表示することができるので、訴求性が向上する。
（２）直前の通話に関する情報や操作ボタンが自動的に表示されるので、利便性が向上する。
（３）ゲーム、ポイントやクーポンとの連動によって訴求性がより向上する。
【図面の簡単な説明】
【００１４】
【図１】図１は本発明のシステム全体の構成を示すブロック図である。
【図２】図２は本発明におけるダウンロード処理を示すフローチャートである。
【図３】図３は本発明における告知情報表示処理を示すフローチャートである。
【図４】図４は本発明の携帯端末において着信側に表示される画面例を示す説明図である。
【図５】図５は本発明の携帯端末において発信側に表示される画面例を示す説明図である。
【図６】図６は本発明の携帯端末において表示される他の画面例を示す説明図である。
【発明を実施するための形態】
【００１５】
本発明について、これを実施するための形態を実施例により具体的に説明する。
【実施例１】
【００１６】
図１は本発明のシステム全体の構成を示すブロック図である。本発明の配信サーバー１６は、通信網の一例であるインターネット１５に接続されている。インターネット１５はゲートウェイサーバー１２を介して携帯電話機やスマートホン等である携帯端末の通信網である複数の移動体通信網１１と接続されており、本発明の配信サーバー１６は移動体通信網１１の携帯端末１０とデータ通信（パケット通信）が可能である。【００１７】
なお、複数の移動体通信網および固定電話網等の有線通信網１１（ｂ、ｃ）は音声通信のために相互に接続されている。また、上記のような通信網の構成は周知である。【００１８】
携帯端末１０は、音声通話が可能であり、かつ周知のＷｅｂブラウザを備え、パケット通信も可能であり、更にアプリケーションプログラム（以下アプリとも記す。）をダウンロードしてインストールし、実行することが可能なスマートホンなどの周知の携帯電話機である。内部構成は周知であるので説明は省略するが、携帯端末を制御するコンピューターを備えており、プログラムを実行することによって携帯端末を制御する。【００１９】
本発明の配信サーバー１６は、例えばインターネットと接続されたＷｅｂサーバー２０、データーベース（ＤＢ）サーバー２１、保守、管理用のＰＣである端末２２等がＬＡＮ２３に接続された構成であってもよい。各サーバー装置は市販のサーバー装置に市販のソフトウェアおよび後述する本発明の機能を実現するためのプログラムをインストールすることにより実現できる。なお、ユーザーの位置や属性に基づいて関連する広告などのコンテンツを配信するアドサーバーを配信サーバーとは別に備えてもよい。【００２０】
図２は本発明におけるダウンロード処理を示すフローチャートである。Ｓ２０においては携帯端末１０は例えばＱＲコード（登録商標）（２次元バーコード）を端末内蔵カメラによって読み取るなどして配信サーバー１６のＵＲＬを入力し、ブラウザでこのＵＲＬにアクセスし、本発明のアプリのダウンロードを要求する。Ｓ２１においては配信サーバー１６はＷｅｂページを送信し、ダウンロード（ＤＬ）要求を受け付ける。【００２１】
Ｓ２２においては配信サーバー１６は携帯端末１０の機種、ＯＳ（オペレーティングシステム）と対応する本発明のアプリプログラムを読み出して送出する。配信サーバー１６は、携帯端末１０が送信したアクセスデータ（ヘッダ）から端末ＩＤ、移動体通信網種別、メーカー情報、機種情報等の情報を抽出することができるので、これらの情報に基づき、対応するアプリを配信する。この機能がアプリケーションプログラムを携帯端末に送信するプログラム配信手段に相当する。【００２２】
Ｓ２３においては携帯端末１０はアプリプログラムを受信して保存する。Ｓ２４においては携帯端末１０はアプリプログラムをインストールする。Ｓ２５においては携帯端末１０はアプリプログラムを自動的に起動する。Ｓ２６においては携帯端末１０において初回起動されたアプリが携帯端末１０のＯＳにアプリを起動するタイミングを設定する。（後述する「サービス」プログラムを設定する。）【００２３】
起動タイミング（イベント）としては通話が終了した終話時の他、着信時、応答時、発信時、着信終了（不在着信）時、発信終了（相手不応答）時および例えば１日１回など指定した定時に起動されるように設定する。なお、起動タイミングの設定は初回起動時のみに行われるが、設定内容の変更はアプリ表示画面から可能とする。また、現在多くの携帯端末に使用されているＯＳにはアプリを起動するための設定機能が標準装備されている。【００２４】
Ｓ２７においては携帯端末１０は配信サーバ１６に最新告知情報を要求する。Ｓ２８においては配信サーバー１６は配信すべき告知情報を読み出し、携帯端末に最新告知情報を送出する。告知情報（コンテンツあるいはコンテンツアプリ）は、バナーなどのＵＲＬ、ＨＴＭＬによって書かれたＷｅｂページデータの他、クイズなどの機能を実行するプログラムである場合もある。この機能が携帯端末にインストールされたアプリケーションプログラムからの要求に基づき、告知情報を配信する告知情報配信手段に相当する。Ｓ２９においては携帯端末１０は最新告知情報をメモリに保存する。【００２５】
図３は本発明における告知情報表示処理を示すフローチャートである。Ｓ４０においては携帯端末１０は予め行われた設定に基づいてアプリを定時起動する。Ｓ４１においては携帯端末１０のアプリが配信サーバー１６にアクセスする。Ｓ４２においては配信サーバー１６は最新告知情報を読み出して送信する。Ｓ４３においては携帯端末１０のアプリが最新告知情報を受信し、保存する。なお、前回の更新情報が最新である場合には告知情報の送信は行わないようにしてもよい。【００２６】
Ｓ５０においては携帯端末１０はユーザーの操作に基づいて電話発信するか、あるいは電話の着信を検出する。Ｓ５１においては携帯端末１０においてアプリ（「サービス」と呼ばれる画面を持たないプログラムであり、常に待機状態）が起動され、発信または着信した相手の電話番号、現在の時刻情報を取得して保存し、待機状態に戻る。この際にはアプリによる画面表示は行われない。【００２７】
また、着信あるいは発信後の通話開始時にもアプリ（サービス）が起動され、現在（通話開始）の時刻情報を取得して保存し、待機状態に戻る。Ｓ５０の機能は直前の音声通話に関する番号情報および通話時間情報を取得する通話情報取得手段の一部に相当する。【００２８】
Ｓ５２においては携帯端末１０は着信あるいは発信の終話、着信終了（不在着信）、発信終了（相手不応答）を検出し、設定に基づいてアプリを起動する。アプリは終話（現在）時刻および起動原因となるイベントの種別を取得する。【００２９】
Ｓ５３においては携帯端末１０のアプリがポイント獲得処理を行う。ポイントとは商品やサービスの購入時に取得でき、商品やサービス等と交換可能な点数であり、周知の多くのサービスが存在する。ポイント獲得処理においては、例えば付与するポイント数をランダムに決定すると共に、付与したポイント数情報を配信サーバー１６に通知する。取得ポイントの決定方法は、ランダムに決定する他、相手番号（下１桁が「今日のラッキーナンバー」の時はポイント２倍など、電話番号や通話相手との親密度（直近の所定日間で何回目の通話など）によって決定してもよい。【００３０】
なお、ポイントのＩＤ（アカウント）は予めポイントサービスにログインしてユーザー対応に取得しておく。この機能がユーザーが獲得するポイント数を決定して表示すると共にサーバーにポイント情報を通知するポイント獲得手段の一部に相当する。Ｓ５４においてはサーバー１６がポイント数情報を受信し、対応するポイントＩＤと共にポイント管理サイトに通知する。【００３１】
Ｓ５５においては携帯端末１０のアプリが表示すべき情報を収集、生成し、告知情報を含む画面を表示する。電話番号情報はＳ５０において保存された電話番号情報を読み出すことにより取得する。着信（呼び出し）時間は、Ｓ５０において保存された通話開始時刻から着信時刻を減算することによって得られる。通話時間も終話時刻からＳ５０において保存された通話開始時刻を減算することによって得られる。【００３２】
相手名は、ＯＳを介して電話番号をキーに電話帳データを検索し、ヒットした場合には登録されている相手名を取得し、表示する。以上の機能が音声通話の終話時に告知情報を携帯端末の画面に表示する表示手段に相当する。なお、告知情報は、上記ポイント情報のサーバーへの通知時に（通知しないアプリの場合には終話時に）最新情報をダウンロードして更新してもよい。また、サーバーへのアクセスに失敗した場合には保存されている告知情報を表示するようにしてもよい。【００３３】
Ｓ５６においては携帯端末１０において例えばユーザーがバナー広告をクリックしたことを検出し、対応するＵＲＬをサーバー１６に送信する。Ｓ５７においては配信サーバー１６は携帯端末１０からＵＲＬを受信し、記録すると共に、対応する接続先にリダイレクト接続する。サーバー１６においては広告のクリック数等の統計情報を得ることができる。Ｓ５８においては携帯端末１０は標準装備されているブラウザを起動し、他サーバーから送られてくる広告等のＷｅｂページを表示する。【００３４】
なお、アプリ画面は終話時等に自動的に表示される他、待ち受け画面上に設けられたアプリのアイコンをクリックすることにより、ユーザーが手動で表示させることも可能である。この場合には直前の表示内容と同じ情報が表示され、通話情報の確認、操作ボタンによる発信、告知情報の閲覧、アプリの設定変更等ができる。【００３５】
携帯端末１０は以上の機能に加えて、アプリ表示回数、アプリ種別、時刻や位置などの統計情報をサーバーに送信する機能も備えている。送信するタイミングは他のサーバー接続処理、例えば告知情報の取得処理やポイント処理においてサーバーと接続した時に送信する他、例えば毎日一定の時刻になど、所定期間毎にサーバーに送信してもよい。統計情報は広告主への課金処理やユーザーの特性分析などに利用される。【００３６】
図４は本発明の携帯端末において着信側に表示される画面例を示す説明図である。図４（ａ）は、着信の通話が終了した終話時にアプリによって表示される画面例である。携帯端末１０の画面４０のアプリのウィンドウ３０内には、上からイベント表示欄３１、通話情報及びポイント情報表示エリア３２、各種操作ボタン３３、３４、３５、告知（広告）情報表示欄３６が設けられている。【００３７】
イベント表示欄３１には直前の通話の状況、例えば「通話終了」と共に、電話番号が電話帳に登録されている場合には「○○さん」のように相手名が表示される。通話情報及びポイント情報表示エリア３２には相手電話番号、着信時間（呼び出し時間）、通話時間が表示され、更に獲得したポイント数が表示される。【００３８】
各種操作ボタン欄には、折り返し電話をかけるための［電話する］ボタン３３、電話番号を電話帳に登録する［電話帳登録］ボタン３４（電話帳に番号登録がない場合のみ有効とする）、アプリを終了する「閉じる」ボタン３５が表示されている。告知（広告）情報表示欄３６にはサーバー１６から取得したバナー広告あるいはゲームのアイコン等を表示する。バナー広告やゲームのアイコンは複数個表示してもよいし、スクロールするようにしてもよい。【００３９】
ユーザーがバナーをクリックするとブラウザを起動して対応するサイトを表示する。バナー広告は予めサーバ１６から複数個ダウンロードしておき、ランダムにいずれか１つを表示してもよい。【００４０】
図４（ｂ）不在着信時にアプリによって表示される画面例である。この画面は着信呼に応答しなかった（不在着信）場合に、呼び出しが終わったときに情報を表示する。なお、不在着信時に一定時間ユーザーが何も操作を行わなかった場合には一定時間後にアプリは終了するようにする。イベント表示欄３１には「不在着信」が表示される。通話情報及びポイント情報表示エリア３２、各種操作ボタン３３、３４、３５、告知（広告）情報表示欄３６にについては図４（ａ）の終話時と同じである。【００４１】
図５は本発明の携帯端末において発信側に表示される画面例を示す説明図である。図５（ａ）は発信の通話が終了した終話時にアプリによって表示される画面例である。電話発信した場合も着信と同様に通話終了後に情報を表示する。表示内容は着信時間が無い以外は図４（ａ）の着信終話時と同じである。図５（ｂ）は発信したが相手不在で終了した発信不在時にアプリによって表示される画面例である。この場合にはイベント表示欄３１に「発信不在」が表示される以外は（ａ）の発信終話時と同じである。【００４２】
図６は本発明の携帯端末において表示される他の画面例を示す説明図である。図６（ａ）はクイズなどのゲームを行う機能（プログラム）を組み込んだ告知情報（コンテンツアプリ）の例である。この例の場合にはコンテンツの表示時に通話時間や電話番号などの表示は行わないので、アプリは着信時ではなく終話時にのみ起動され、バナーやアイコンではなく、クイズ（コンテンツ）画面が画面全体に表示される。図６（ａ）の画面においてユーザーが所定の回答操作を行うと、例えば図６（ｂ）のような回答画面が表示される。なお、画面の一部にバナーや広告を表示してもよい。【００４３】
図６（ｃ）はスクラッチカード機能（プログラム）を組み込んだ告知情報（コンテンツアプリ）の例である。図６（ｃ）の画面においてユーザーが任意の円を選択する操作を行うと、例えば図６（ｄ）のような当たり画面あるいははずれ画面が表示される。そして、ユーザーが応募操作を行うとサーバーへ接続され、抽選への応募処理が行われる。【００４４】
以上、実施例を開示したが、本発明には以下に示すような変形例も考えられる。実施例においては告知情報として複数のバナー広告をダウンロードしておき、ランダムに選択して表示する例を開示したが、ＧＰＳ機能を備えた携帯端末の場合にはアプリが表示の前にＧＰＳ機能から位置情報を取得してサーバー１６に送信し、サーバー１６は受信した位置情報に基づいて近隣の広告情報を直ちに配信し、アプリによって表示するようにしてもよい。【００４５】
アプリは一定時間毎にも起動して告知情報を更新する例を開示したが、直近の所定の時間内に起動され、サーバーから最新告知情報を取得できた場合には定時起動によって情報が更新される可能性が低い。そこで、告知情報を更新した場合には次回起動時刻を現在から一定時間後（例えば２４時間後）とするようにしてもよい。こうすれば、一定時間以内に起動され続けるかぎり、定時起動されなくなる。【００４６】
実施例においては告知情報表示欄３６にはサーバー１６から取得したバナー広告あるいはゲームのアイコン等を表示する例を開示したが、コンテンツとしてはこれ以外に、通話相手との相性診断コンテンツ、位置情報と連動したクーポンなどを表示してもよい。【００４７】
実施例においては各携帯端末には同じ告知情報を配信する例を開示したが、予め各端末毎に興味のある分野などを入力してもらうことにより、多数の広告情報の中からユーザーの興味のありそうな関連する広告情報だけを配信することもできる。この際の端末識別情報は上記実施例に記載したアクセスデータ（ヘッダ）から得られるし、予めダウンロードするアプリに固有のＩＤ番号を割り当てて、書き込んでおいてもよい。【００４８】
実施例においては表示は終話時にのみ行う例を開示したが、ユーザーは着信時にも画面を見るので、例えば電話がかかってきた（着信時）タイミングでアプリが立ちあがり、告知情報の表示を行って、通話中においてはアプリは表示は行わず、待機状態とし、通話が終了（終話）した段階でアプリが再度立ち上がり、情報を表示するようにしてもよい。また、着信時に表示する内容としては、告知情報の他、着信時に通話時間によって割引クーポンやポイントの特典があることを表示することもできる。【００４９】
更にユーザーはイヤホンを使用することによって携帯端末を耳に当てずに画面を見ながら通話することも可能である。従って、通話中や着信時、発信時にもそれぞれアプリによる表示を行うように設定することができるようにしてもよい。【００５０】
実施例においては電話機能は携帯端末の標準機能としてデータ通信とは別に制御されている例を開示したが、公知のＩＰ電話アプリなど、データ通信回線を使用し、アプリによって制御される電話サービスも存在する。このようなアプリに対しても本発明はそのまま適用可能である。即ち、ＩＰ電話アプリに本発明の終話アプリの機能を組み込むか、あるいはＩＰ電話アプリから本発明の終話アプリを起動できるようにすればよい。
【産業上の利用可能性】
【００５１】
本発明は携帯端末用の広告配信システムに適用可能である。
【符号の説明】
【００５２】
１０…携帯端末
１１…移動体通信網
１２…ゲートウェイ
１５…インターネット
１６…配信サーバー
１７…ＰＣ
２０…Ｗｅｂサーバー
２１…ＤＢサーバー
２２…端末
２３…ＬＡＮ
【図１】
2012115266.tif 000003
【図２】
2012115266.tif 000004
【図３】
2012115266.tif 000005
【図４】
2012115266.tif 000006
【図５】
2012115266.tif 000007
【図６】
2012115266.tif 000008
【国際調査報告】
2012115266.tif 000009
2012115266.tif 000010